(57)【要約】【課題】アプリケーションから要求された要求ジョブの状態と、各種情報を記録した記録媒体を作成する記録媒体作成装置の各種デバイスの状態とを関連付けて表示するとともに、要求ジョブの実行結果を予測し、予測した実行結果を表示することが可能な状態表示装置、状態表示方法及びプログラムを提供する。【解決手段】モニター部２２は、状態取得部４１、実行結果予測部４２、及び状態表示部４３を備えることにより、アプリケーションから要求された実行中または実行待ちのすべての要求ジョブの状態と、記録媒体作成装置の各種デバイスの状態を１つの画面上に表示させることができるとともに、異常終了を予測した場合は、ユーザに異常回避のための作業を促すことができる。【選択図】図２
2008176534.tif 000002
【特許請求の範囲】
【請求項１】
アプリケーションからの要求に基づいて各種情報を記録した記録媒体を作成する記録媒体作成装置の状態を表示する状態表示装置であって、
前記記録媒体作成装置に備えられている１個または複数個のデバイスの状態、及び、前記アプリケーションから要求された要求ジョブの状態を、所定のタイミングで取得する状態取得手段と、
前記状態取得手段によって取得した前記要求ジョブの状態及び前記要求ジョブに関連した前記デバイスの状態に基づいて、前記要求ジョブの実行結果を予測する実行結果予測手段と、
前記状態取得手段によって取得した前記デバイスの状態及び前記要求ジョブの状態、並びに、前記実行結果予測手段によって予測された前記要求ジョブの実行結果に基づいて、前記デバイス毎の状態及び前記要求ジョブ毎の状態、並びに、前記要求ジョブの実行結果予測を、一括して表示する状態表示手段と、
を備えていることを特徴とする状態表示装置。
【請求項２】
前記タイミングは、所定の時間間隔であることを特徴とする請求項１に記載の状態表示装置。
【請求項３】
前記タイミングは、前記デバイスの状態が変化した時であることを特徴とする請求項１に記載の状態表示装置。
【請求項４】
前記状態表示手段は、前記実行結果予測手段によって予測された前記要求ジョブの実行結果に基づいて、予測内容毎に予め設定されている表示色により、前記予測内容を表示することを特徴とする請求項１から３のいずれか１項に記載の状態表示装置。
【請求項５】
前記状態表示手段は、実行中の前記要求ジョブに関連した前記デバイスの状態に異常が発生したときの異常Ａと、実行中の前記要求ジョブに関連しない前記デバイスの状態に異常が発生したときの異常Ｂとにより、前記デバイスに対する異常の表示を変え、前記異常Ａを異常Ｂより強調して表示することを特徴とする請求項１から４のいずれか１項に記載の状態表示装置。
【請求項６】
アプリケーションからの要求に基づいて各種情報を記録した記録媒体を作成する記録媒体作成装置の状態を表示する状態表示方法であって、
（ａ）前記記録媒体作成装置に備えられている１個または複数個のデバイスの状態、及び、前記アプリケーションから要求された要求ジョブの状態を、所定のタイミングで取得する状態取得工程と、
（ｂ）前記状態取得工程（ａ）によって取得した前記要求ジョブの状態及び前記要求ジョブに関連した前記デバイスの状態に基づいて、前記要求ジョブの実行結果を予測する実行結果予測工程と、
（ｃ）前記状態取得工程（ａ）によって取得した前記デバイスの状態及び前記要求ジョブの状態、並びに、前記実行結果予測工程（ｂ）によって予測された前記要求ジョブの実行結果に基づいて、前記デバイス毎の状態及び前記要求ジョブ毎の状態、並びに、前記要求ジョブの実行結果予測を、一括して表示する状態表示工程と、
を備えていることを特徴とする状態表示方法。
【請求項７】
前記タイミングは、所定の時間間隔であることを特徴とする請求項６に記載の状態表示方法。
【請求項８】
前記タイミングは、前記デバイスの状態が変化した時であることを特徴とする請求項６に記載の状態表示方法。
【請求項９】
前記状態表示工程（ｃ）は、前記実行結果予測工程（ｂ）によって予測された前記要求ジョブの実行結果に基づいて、予測内容毎に予め設定されている表示色により、前記予測内容を表示することを特徴とする請求項６から８のいずれか１項に記載の状態表示方法。
【請求項１０】
前記状態表示工程（ｃ）は、実行中の前記要求ジョブに関連した前記デバイスの状態に異常が発生したときの異常Ａと、実行中の前記要求ジョブに関連しない前記デバイスの状態に異常が発生したときの異常Ｂとにより、前記デバイスに対する異常の表示を変え、前記異常Ａを異常Ｂより強調して表示することを特徴とする請求項６から９のいずれか１項に記載の状態表示方法。
【請求項１１】
アプリケーションからの要求に基づいて各種情報を記録した記録媒体を作成する記録媒体作成装置の状態を表示する処理をコンピュータに実行させるプログラムであって、
請求項１から５のいずれか１項に記載の状態表示装置の各手段を実現させる処理を前記コンピュータに実行させることを特徴とするプログラム。
【発明の詳細な説明】
【技術分野】
【０００１】
本発明は、状態表示装置、状態表示方法及びプログラムに関する。特に、アプリケーションから要求された要求ジョブの状態と、各種情報を記録した記録媒体を作成する記録媒体作成装置の各種デバイスの状態とを関連付けて表示するとともに、要求ジョブの実行結果を予測し、予測した実行結果を表示することが可能な状態表示装置、状態表示方法及びプログラムに関する。
【背景技術】
【０００２】
近時、個人情報や企業秘密等に対する機密保持管理の要請から、ＣＤ、ＤＶＤ等の光学記録媒体へのデータ記録を集中管理の要請や、デジタル音楽データまたはデジタル画像データの光学記録媒体への記録の要請が高まっている。また、街頭や展示会等で配布するために、１０〜１００枚程度の比較的少量の光学記録媒体の作成やダビングのニーズも多くなっている。
【０００３】
そのために、デジタルデータ、イメージデータ、音楽データ等の各種データを高速でＤＶＤ、ＣＤ等の光学記録媒体に記録し、レーベル面に記録内容を印刷する装置が提案されている。例えば、ビジネス用途の記録媒体作成装置としては、未使用のＣＤを収納するホルダ（スタッカ）と、ＣＤ記録部と、ラベルプリンタ部と、記録済ＣＤホルダとを備えており、医療用画像をＣＤのような光学記録媒体に記録し、識別ラベルをレーベル面に印刷する記録媒体作成装置が開示されている（特許文献１参照）。
【０００４】
また、光学記録媒体への書込み、ラベル印刷、または、発行を要求する、実行待ちまたは実行中の要求ジョブのジョブ情報を表示する方法も提案されている。
【特許文献１】特開２００２−５８６４９号公報
【発明の開示】
【発明が解決しようとする課題】
【０００５】
しかしながら、光学記録媒体への書込み、ラベル印刷、または、発行を要求する、実行待ちまたは実行中の要求ジョブの状態と、書込みドライブ、プリンタ、スタッカ等の記録媒体作成装置の各種デバイスの状態とは、別画面にて表示されていた。その為、実行待ちのジョブの状態を表示中に、記録媒体作成装置の各種デバイスの状態を確認しようとしたとき、タブを切り替えたり、別ウィンドウを表示したりする操作をしなければならなかった。即ち、実行待ちのジョブの状態を表示中に、ユーザが、記録媒体作成装置の各種デバイスの状態を容易に確認することができないという問題点があった。
【０００６】
本発明は、以上のような問題点を解決するためになされたもので、アプリケーションから要求された要求ジョブの状態と、各種情報を記録した記録媒体を作成する記録媒体作成装置の各種デバイスの状態とを関連付けて表示するとともに、要求ジョブの実行結果を予測し、予測した実行結果を表示することが可能な状態表示装置、状態表示方法及びプログラムを提供することを目的とする。
【課題を解決するための手段】
【０００７】
上述した従来の問題点を解決すべく下記の発明を提供する。
【０００８】
本発明の第１の態様にかかる状態表示装置は、アプリケーションからの要求に基づいて各種情報を記録した記録媒体を作成する記録媒体作成装置の状態を表示する状態表示装置であって、前記記録媒体作成装置に備えられている1個または複数個のデバイスの状態、及び、前記アプリケーションから要求された要求ジョブの状態を、所定のタイミングで取得する状態取得手段と、前記状態取得手段によって取得した前記要求ジョブの状態及び前記要求ジョブに関連した前記デバイスの状態に基づいて、前記要求ジョブの実行結果を予測する実行結果予測手段と、前記状態取得手段によって取得した前記デバイスの状態及び前記要求ジョブの状態、並びに、前記実行結果予測手段によって予測された前記要求ジョブの実行結果に基づいて、前記デバイス毎の状態及び前記要求ジョブ毎の状態、並びに、前記要求ジョブの実行結果予測を、一括して表示する状態表示手段と、を備えていることを特徴とする。
【０００９】
これにより、アプリケーションから要求された実行中または実行待ちのすべての要求ジョブの状態と、記録媒体作成装置の各種デバイスの状態を１つの画面上に表示させることができる。また、要求ジョブに関連したデバイスの状態に基づいて予測した要求ジョブの実行結果により、正常に処理が終了するか否か等を、ユーザに視覚的に認識させることができる。また、異常終了を予測した場合は、ユーザに異常回避のための作業を促すことができる。
【００１０】
本発明の別の態様にかかる状態表示装置は、本発明の第１の態様にかかる状態表示装置における前記タイミングが、所定の時間間隔であることを特徴とする。
【００１１】
本発明の別の態様にかかる状態表示装置は、本発明の第１の態様にかかる状態表示装置における前記タイミングは、前記デバイスの状態が変化した時であることを特徴とする。
【００１２】
これらにより、すべての要求ジョブの状態と、記録媒体作成装置の各種デバイスの状態（例えば、インク残量、各種デバイスの動作状況、スタッカの状態）との最新の情報を取得し、表示することができる。
【００１３】
本発明の別の態様にかかる状態表示装置は、上述した本発明のいずれか１つの態様にかかる状態表示装置の前記状態表示手段が、前記実行結果予測手段によって予測された前記要求ジョブの実行結果に基づいて、予測内容毎に予め設定されている表示色により、前記予測内容を表示することを特徴とする。
【００１４】
これにより、要求ジョブに関連したデバイスの状態に基づいて予測した要求ジョブの実行結果により、正常に処理が終了するか否か等を表示して、ユーザに視覚的に認識させることができる。この表示は処理が正常か異常かを問わない。また、異常終了を予測した場合は、ユーザに異常回避のための作業を促すことができる。例えば、要求ジョブに５０枚のディスクを発行するジョブである場合に、供給元スタッカに３０枚程度しかディスクが無いとき、ブランクディスクを追加するように警告を表示し、ユーザに認識させることができる。
【００１５】
本発明の別の態様にかかる状態表示装置は、上述した本発明のいずれか１つの態様にかかる状態表示装置の前記状態表示手段が、実行中の前記要求ジョブに関連した前記デバイスの状態に異常が発生したときの異常Ａと、実行中の前記要求ジョブに関連しない前記デバイスの状態に異常が発生したときの異常Ｂとにより、前記デバイスに対する異常の表示を変え、前記異常Ａを異常Ｂより強調して表示することを特徴とする。
【００１６】
これにより、実行中の要求ジョブに関連したデバイスの状態に基づいて予測した要求ジョブの実行結果により、正常に処理が終了するか否か等を、ユーザに視覚的に認識させることができる。例えば、実行中の要求ジョブが白黒印刷のみである場合に、黒インク以外のインクが空であるとき、要求ジョブは正常に実行できることから、インク補充の警告は強調せずに表示する。
【００１７】
また、例えば、実行中の要求ジョブが供給元をスタッカ１のみとする発行ジョブ（書き込み及びラベル印刷を実行するジョブ）の場合に、スタッカ２にディスクが無くとも、発行処理を実行できることから、スタッカ１にディスクが無いときにのみディスク補充の警告は表示する。
【００１８】
また、例えば、実行中の要求ジョブがラベル印刷処理である場合に、ディスクへの書込み処理を行わないため、書込みドライブに異常が発生していても、処理を実行することができる。そのため、ラベル印刷の要求ジョブの実行中に発生した書込みドライブ異常は強調せずに表示する。
【００１９】
本発明の第１の態様にかかる状態表示方法は、アプリケーションからの要求に基づいて各種情報を記録した記録媒体を作成する記録媒体作成装置の状態を表示する状態表示方法であって、（ａ）前記記録媒体作成装置に備えられている１個または複数個のデバイスの状態、及び、前記アプリケーションから要求された要求ジョブの状態を、所定のタイミングで取得する状態取得工程と、（ｂ）前記状態取得工程（ａ）によって取得した前記要求ジョブの状態及び前記要求ジョブに関連した前記デバイスの状態に基づいて、前記要求ジョブの実行結果を予測する実行結果予測工程と、（ｃ）前記状態取得工程（ａ）によって取得した前記デバイスの状態及び前記要求ジョブの状態、並びに、前記実行結果予測工程（ｂ）によって予測された前記要求ジョブの実行結果に基づいて、前記デバイス毎の状態及び前記要求ジョブ毎の状態、並びに、前記要求ジョブの実行結果予測を、一括して表示する状態表示工程と、を備えていることを特徴とする。
【００２０】
これにより、上述した本発明の態様にかかる状態表示装置と同等の効果が得られる。
【００２１】
本発明の別の態様にかかる状態表示方法は、本発明の第１の態様にかかる状態表示方法における前記タイミングが、所定の時間間隔であることを特徴とする。
【００２２】
本発明の別の態様にかかる状態表示方法は、本発明の第１の態様にかかる状態表示方法における前記タイミングは、前記デバイスの状態が変化した時であることを特徴とする。
【００２３】
これらにより、上述した本発明の態様にかかる状態表示装置と同等の効果が得られる。
【００２４】
本発明の別の態様にかかる状態表示方法は、上述した本発明のいずれか１つの態様にかかる状態表示方法の前記状態表示工程（ｃ）が、前記実行結果予測工程（ｂ）によって予測された前記要求ジョブの実行結果に基づいて、予測内容毎に予め設定されている表示色により、前記予測内容を表示することを特徴とする。
【００２５】
これにより、上述した本発明の態様にかかる状態表示装置と同等の効果が得られる。
【００２６】
本発明の別の態様にかかる状態表示方法は、上述した本発明のいずれか１つの態様にかかる状態表示方法の前記状態表示工程（ｃ）が、実行中の前記要求ジョブに関連した前記デバイスの状態に異常が発生したときの異常Ａと、実行中の前記要求ジョブに関連しない前記デバイスの状態に異常が発生したときの異常Ｂとにより、前記デバイスに対する異常の表示を変え、前記異常Ａを異常Ｂより強調して表示することを特徴とする。
【００２７】
これにより、上述した本発明の態様にかかる状態表示装置と同等の効果が得られる。
【００２８】
本発明の第１の態様にかかるプログラムは、アプリケーションからの要求に基づいて各種情報を記録した記録媒体を作成する記録媒体作成装置の状態を表示する処理をコンピュータに実行させるプログラムであって、上述した本発明のいずれか１つの態様にかかる状態表示装置の各手段を実現させる処理を前記コンピュータに実行させることを特徴とする。
【００２９】
このような構成であれば、コンピュータによってプログラムが読み取られ、読み取られたプログラムによって、コンピュータが処理を実行すると、上述した本発明の態様にかかる状態表示装置と同等の効果が得られる。
【発明の効果】
【００３０】
本発明によれば、アプリケーションから要求された実行中または実行待ちのすべての要求ジョブの状態と、記録媒体作成装置の各種デバイスの状態を１つの画面上に表示させることができる。また、要求ジョブに関連したデバイスの状態に基づいて予測した要求ジョブの実行結果により、正常に処理が終了するか否か等を、ユーザに視覚的に認識させることができる。また、異常終了を予測した場合は、ユーザに異常回避のための作業を促すことができる。また、すべての要求ジョブの状態と、記録媒体作成装置の各種デバイスの状態との最新の情報を取得し、表示することができる。
【発明を実施するための最良の形態】
【００３１】
この発明の一実施態様を、図面を参照しながら説明する。なお、以下に説明する実施態様は説明のためのものであり、本発明の範囲を制限するものではない。従って、当業者であればこれらの各要素もしくは全要素をこれと均等なもので置換した実施態様を採用することが可能であるが、これらの実施態様も本発明の範囲に含まれる。
【００３２】
図１は、本発明の一実施形態にかかるモニター部２２を備えた記録媒体作成制御装置１０及びこれにより制御される記録媒体作成装置９０を示す。図１においては、記録媒体作成制御装置１０は、ＰＣ又はサーバ等のホスト装置及びこれにインストールされているソフトウェアにより構成されている。ＰＣ等のホスト装置１０は、ＣＰＵ、ＲＡＭ・ＲＯＭ等のメモリ、論理回路等のハードウェアと、各種ソフトウェアとから構成されており、Ｗｉｎｄoｗｓ（登録商標）等の各種汎用ＯＳで動作可能である。
【００３３】
記録媒体作成制御装置１０をより機能的なブロックに分解して説明すると、光学記録媒体を作成するための基本機能を提供するアプリケーション部２０と、アプリケーション部２０から受信したデータに従って、書込み情報、印刷情報、及び作成設定情報を作成し、一時保存するデータ変換部３０と、データ変換部３０からの制御信号に基づいて光学記録媒体を作成するための一連の動作処理をスケジューリングし、デバイス制御部５０の各ドライバの動作手順を制御する統合制御部４０と、記録媒体作成装置９０の動作を制御するための各種ドライバ及びＵＳＢインタフェース５４を含むデバイス制御部５０とから構成されている。
【００３４】
ここで、書込み情報は、光学記録媒体に書き込む情報であり、印刷情報は、光学記録媒体のレーベル面に印刷する情報であり、作成設定情報は命令要求の種類（書込み印刷要求、書込み要求、印刷要求の中のいずれか１つの要求）、光学記録媒体の作成枚数、形式等を設定した情報である。
【００３５】
記録媒体作成装置９０は、ＵＳＢハブ９１及びこれに接続される第１データ記録部（ドライブ１）９２及び第２データ記録部（ドライブ２）９３、記録媒体作成装置９０内の各部に光学記録媒体を搬送するオートローダ９４、及びプリンタ９５を備えており、同時に２つの光学記録媒体に対して書込処理が可能である。図１では、２つのデータ記録部と１つのプリンタを設けているが、更に多くのデータ記録部及びプリンタを設けて、より多くの並列処理を可能にするように構成しても良い。
【００３６】
ここで、書込み印刷要求の場合は、第１データ記録部９２または第２データ記録部９３によりデータ書込が終了した後に、プリンタ９５によりラベル印刷が実行される。また、プリンタ９５によりラベル印刷が終了した後に、第１データ記録部９２または第２データ記録部９３によりデータ書込を実行することも可能ではあるが、ラベル印刷処理に比較して、データ書込み処理によるエラーが重大であり、エラー発生頻度も高いことから、データ書込み処理を先に実行した方がより良い。
【００３７】
始めに、記録媒体作成制御装置１０の各部の機能を簡単に説明した上で、光学記録媒体の作成手順を説明する。まず、アプリケーション部２０は、希望する書込みデータが保存されているデータファイルの指定、ラベル印刷内容や形式の指定等を行うためのユーザインタフェースを提供する。
【００３８】
図１に示した例においては、セットアップ部２１は、記録媒体作成装置９０の仕様（有効な記録媒体作成装置９０内の各部を指定する情報）を初期設定する機能を提供し、モニター部２２は、記録媒体作成装置９０内の各部の動作状態を示す装置状態情報を表示して、確認する機能を提供する。ここで、本発明の一実施形態にかかる状態表示装置は、モニター部２２に対応する。
【００３９】
ディスク作成部２３は、ディスクエディタ部２５、パブリッシャ部２６及びラベルエディタ部２７を備えており、記録内容の編集、作成設定情報の編集、及びラベル印刷の編集を行う。ラベル印刷の編集にはテンプレート部２４に記憶されているテンプレートを利用することが可能である。一般アプリケーション部２８は、ラベル印刷の命令を要求するディスク作成部２３とは異なる機能である。
【００４０】
アプリケーション部２０により編集された内容はデータ変換部３０に出力され、ディスクライブラリ３１を介して生成された書込み情報３２、及び、プリンタドライバ６０のグラフィックデバイスインターフェース（ＧＤＩ）６１を介して生成された印刷情報３３は、命令要求の種類に基づいて、一時記憶部３４に要求ジョブが終了するまで一時記憶される。
【００４１】
統合制御部４０は、一時記憶部３４に記憶されている要求ジョブを実行するために、各デバイスの処理手順を制御する。統合制御部４０は、一時記憶部３４に記憶された要求ジョブを実行するための記録媒体作成装置９０の各デバイス９２〜９５の動作手順を示す動作スケジュールを作成する。また、統合制御部４０は、デバイス制御部５０を介して各デバイス９２〜９５から取得した各デバイスの動作状態を示す装置状態情報、及び、動作スケジュールに基づいて、デバイス制御部５０を介して各デバイス９２〜９５の動作を制御する。
【００４２】
具体的には、統合制御部４０は、装置状態情報及び動作スケジュールに基づいて、データ記録部ドライバ５１、オートローダドライバ５３及び印刷入出力制御部６２に対して、各デバイス９２〜９５の動作命令を出力する。そして、データ記録部ドライバ５１、オートローダドライバ５３及びプリンタドライバ６０の印刷入出力制御部６２によって各デバイス９２〜９５の動作を制御させる。
【００４３】
これにより、要求ジョブ毎に未記録の光学記録媒体の取り出し、光学記録媒体の搬送、データ書込、ラベル印刷等の処理、記録済み光学記録媒体の搬送等を、各デバイス９２〜９５の動作が互いに干渉することなく実行できるように、各デバイス９２〜９５の動作を制御させることが可能である。また、複数の光学記録媒体の作成処理を、リソースを効率良く利用しながら混乱することなく順次遂行させることが可能である。
【００４４】
更に、データ記録部ドライバ５１は、統合制御部４０からの動作命令のみを有効な命令として選択するフィルタドライバ５２を備え、統合制御部４０以外からの第１データ記録部９２または第２データ記録部９３への動作命令を受け付けないようにしている。
【００４５】
次に、図２及び図３を用いて、本発明にかかる状態表示装置であるモニター部２２について説明する。図２は、モニター部２２の一実施形態にかかる機能ブロック図の一例である。図２では、本発明に関連する部分の機能のみを示している。モニター部２２は、状態取得部４１、実行結果予測部４２、状態表示部４３、実行待ちジョブ情報記憶部４４、及びデバイス状態情報記憶部４５を備えている。
【００４６】
状態取得部４１は、統合制御部４０によって管理されたディスク作成部２３から記録媒体作成装置９０に対して要求された要求ジョブの実行待ちジョブ及び実行中ジョブのジョブ情報の中から、表示のための実行待ちジョブ表示情報及び実行中ジョブ表示情報を、統合制御部４０を介して、所定のタイミングに取得し、ジョブ毎に、実行待ちジョブ情報記憶部４４に格納する。
【００４７】
また、所定のタイミングとは、所定の時間間隔毎のタイミング、記録媒体作成装置９０の各種デバイスの状態が変化したタイミング、ジョブの処理状態が変化したタイミング等である。例えば、ジョブの処理状態が変化したタイミングとは、実行中から実行完了に変化したタイミング、実行待ちから実行中に変化したタイミングである。これらのタイミングは定期的または不定期的に生ずる。
【００４８】
ここで、実行中ジョブについては、処理状況を示す処理状態情報も格納する。例えば、「１０枚のディスクを発行する処理を実行中で、５枚を作成完了している」等を示す情報である。実行待ちジョブ表示情報及び実行中ジョブ表示情報として、例えば、ジョブの識別情報、処理状態情報、処理内容の種類、供給元、排出先、処理予想時間等が含まれる。
【００４９】
また、状態取得部４１は、記録媒体作成装置９０の各種デバイスの状態を示す情報、例えば、インク残量、記録媒体作成装置９０の各デバイス９２、９３、９５の動作状況、スタッカの状態等を、統合制御部４０を介して、所定のタイミングに取得し、デバイス状態情報記憶部４５に格納する。
【００５０】
また、実行待ちジョブ情報記憶部４４及びデバイス状態情報記憶部４５に、取得したジョブの表示情報及びデバイスの状態情報を格納した後、実行結果予測部４２に対して、実行中のジョブの実行結果の予測処理を実行させる。
【００５１】
実行結果予測部４２は、実行中のジョブの状態と、実行中のジョブに関連した記録媒体作成装置９０の各種デバイスの状態とに基づいて、実行中のジョブの実行結果を予測し、予測した結果をジョブに関連付けて実行待ちジョブ情報記憶部４４に格納する。実行結果とは、例えば、正常終了するか異常終了するか等である。また、予測した実行結果が異常終了である場合に、異常原因、異常回避の手続き作業等を決定する。
【００５２】
例えば、実行中のジョブが残り５０枚のディスクを発行しなければならないジョブである場合に、供給元スタッカに３０枚程度しかディスクが無いとき、２０枚のディスク発行ができない結果になることとともに、供給元スタッカにブランクディスクの追加作業が必要であることを予測する。
【００５３】
また、実行結果予測部４２は、実行結果の予測処理を実行した後、状態表示部４３に対して、ジョブ状態、デバイス状態及び実行中のジョブの実行結果予測の表示を実行させる。
【００５４】
状態表示部４３は、状態取得部４１によって、実行待ちジョブ情報記憶部４４に格納された実行待ちジョブ表示情報及び実行中ジョブ表示情報を取り出し、ジョブ毎に、処理順に基づいて表示する。即ち、処理手順に従ってジョブ毎に、例えば、ジョブの識別情報、処理状態情報、処理内容の種類、供給元、排出先、処理予想時間等を表示する。
【００５５】
また、状態表示部４３は、状態取得部４１によって、デバイス状態情報記憶部４５に格納された記録媒体作成装置９０の各種デバイスの状態を示す情報を取り出し、デバイス毎に状態を表示する。また、デバイスの状態が異常状態であるとき、異常状態のデバイスが実行中のジョブに関連付けられたデバイスである場合と、異常状態のデバイスが実行中のジョブに関連付けられたデバイスでない場合とに区別して、表示する。
【００５６】
例えば、実行中の要求ジョブが白黒印刷のみである場合に、黒インク以外のインクが空であるとき、要求ジョブは正常に実行できることから、インク補充の警告は強調せずに表示する。
【００５７】
また、例えば、実行中の要求ジョブが供給元をスタッカ１のみとする発行ジョブ（書き込み及びラベル印刷を実行するジョブ）の場合に、スタッカ２にディスクが無くとも、発行処理を実行できることから、スタッカ１にディスクが無いときにのみディスク補充の警告は表示する。
【００５８】
また、例えば、実行中の要求ジョブがラベル印刷処理である場合に、ディスクへの書込み処理を行わないため、書込みドライブに異常が発生していても、処理を実行することができる。そのため、ラベル印刷の要求ジョブの実行中に発生した書込みドライブ異常は強調せずに表示する。
【００５９】
また、状態表示部４３は、実行結果予測部４２によって実行された実行中のジョブの実行結果の予測を表示する。例えば、上述したように、実行中のジョブが残り５０枚のディスクを発行しなければならないジョブである場合に、供給元スタッカに３０枚程度しかディスクが無いとき、２０枚のディスク発行ができない結果になることとともに、供給元スタッカにブランクディスクの追加作業が必要であることを、強調して表示する。
【００６０】
図３は、状態表示部４３によって表示された画面の一例を示す図である。図３に示すように、ジョブ一覧部７１に、処理実行中のジョブ及び処理実行待ちのジョブのジョブ情報がジョブ毎に表示される。図３では、ジョブ情報として、ジョブの識別情報（ＪＯＢ  ＩＤ）、処理状態情報（状態）、処理内容の種類（種類）、供給元スタッカ（供給元）、排出先スタッカ（排出先）、処理が完了するまでの処理予想時間（処理予想時間）が表示されている。
【００６１】
例えば、識別番号（ＪＯＢ  ＩＤ）が「０６０１０１１」であるジョブは、発行処理の実行中の状態で、１０枚中５枚を完了している。また、ディスクの供給元はスタッカ１で、排出先はスタッカ３であり、処理が完了するまでの処理予想時間は１０分である。また、識別番号（ＪＯＢ  ＩＤ）が「０６０１０１２」であるジョブは、印刷処理の待ちの状態で、１０枚を印刷する予定である。また、ディスクの供給元はスタッカ１で、排出先はスタッカ４であり、処理が完了するまでの処理予想時間は３分である。
【００６２】
また、デバイス状態一覧部７５に、記録媒体作成装置９０の各種デバイスの状態を示す情報が、デバイス毎に表示される。図３では、デバイスの状態を示す情報として、インク残量（インク）、記録媒体作成装置９０の各デバイス９２、９３、９５（ドライブ１、ドライブ２、プリンタ）の動作状況、スタッカ（スタッカ１、２、３、４）の状態が表示されている。
【００６３】
例えば、図３では、インク残量は、あと１００枚程度のラベル印刷が可能であることが表示されている。また、第１データ記録部（ドライブ１）９２の動作状況は、書き込み中であり、第２データ記録部（ドライブ２）９３とプリンタ９５の動作状況は、待機中である。また、スタッカ１には、ブランクディスクが３０枚程度、スタッカ２には、ブランクディスクが６０枚程度セットされていることが表示されている。ここで、スタッカにセットされているディスクの枚数により表示されている模擬ディスクの高さが変化する。概ね１０枚程度毎に変化する。また、排出先のスタッカ３は空があるが、スタッカ４は既に排出されたディスクで一杯になっていることが表示されている。
【００６４】
また、ジョブ実行結果予測部７３に、実行結果予測部４２によって実行された実行中のジョブの実行結果の予測が表示される。図３では、発行処理が正常終了する予測結果が表示されている。例えば、上述したように、実行中のジョブが残り５０枚のディスクを発行しなければならないジョブである場合に、供給元スタッカに３０枚程度しかディスクが無いとき、２０枚のディスク発行ができない結果になることとともに、供給元スタッカにブランクディスクの追加作業が必要であることを、ジョブ実行結果予測部７３に、強調して表示する。
【００６５】
上述したモニター部２２は本発明の状態表示装置に対応し、状態取得部４１は本発明の状態取得手段に対応し、実行結果予測部４２は本発明の実行結果予測手段に対応し、状態表示部４３は本発明の状態表示手段に対応する。
【００６６】
また、上述した実行結果予測部４２及び状態表示部４３において、予測する実行結果の対象となるジョブを実行中のジョブとしているが、実行待ちのジョブであっても良い。そのとき、ジョブ実行結果予測部７３に表示するジョブの選択手段を更に備え、ジョブの選択手段によって選択されたジョブの予測される実行結果をジョブ実行結果予測部７３に表示する。
【００６７】
以上の実施態様においては、光学記録媒体の作成を例に説明を行ったが、これに限るものではない。本発明は、光学以外の記録媒体への適用も可能である。
【図面の簡単な説明】
【００６８】
【図１】本発明の一実施形態にかかるモニター部２２を備えた記録媒体作成制御装置１０及びこれにより制御される記録媒体作成装置９０を示す。
【図２】モニター部２２の一実施形態にかかる機能ブロック図の一例である。
【図３】状態表示部４３によって表示された画面の一例を示す図である。
【符号の説明】
【００６９】
１０    記録媒体作成制御装置
２２    モニター部
４１    状態取得部
４２    実行結果予測部
４３    状態表示部
４４    実行待ちジョブ情報記憶部
４５    デバイス状態情報記憶部
９０    記録媒体作成装置
【図１】
2008176534.tif 000003
【図２】
2008176534.tif 000004
【図３】
2008176534.tif 000005